(57)【特許請求の範囲】
【請求項１】
入金紙幣を受入れて１枚ずつ繰込む入金口部と、入金紙幣の識別を行う入金識別部と、この入金識別部で入金可能と識別された紙幣を一時保留するとともにその一時保留紙幣を１枚ずつ繰出すことができる一括一時保留部と、紙幣を金種別に収納するとともにその紙幣を１枚ずつ繰出すことができる複数の金種別収納部と、出金される紙幣の識別を行う出金識別部と、出金紙幣を装置本体外から取出し可能に投出する出金口部と、回収すべき紙幣を収納する着脱可能な回収カセットとを有する紙幣入出金装置において、ループ状に配設された搬送路に、前記入金口部の出口部、前記入金識別部、前記一括一時保留部の各入出口部、前記各金種別収納部の各入出口部、前記出金識別部、前記回収カセットの入口部、前記出金口部の入口部を順に配置するとともに、所定枚数の紙幣を装置本体内に残置して他を回収する残置回収時に、前記各金種別収納部から残置すべき所定枚数の紙幣を繰出して前記出金識別部および入金識別部の少くとも一方で識別したのちに前記一括一時保留部へ一旦収納させ、前記金種別収納部に残っている紙幣を繰出して前記回収カセットへ回収したのちに前記一括一時保留部に一旦収納されていた紙幣を前記各金種別収納部へ戻すよう制御する残置精査回収制御部を具有することを特徴とする紙幣入出金装置。
【請求項２】
入金紙幣を受入れて１枚ずつ繰込む入金口部と、入金紙幣の識別を行う入金識別部と、この入金識別部で入金可能と識別された紙幣を一時保留するとともにその一時保留紙幣を１枚ずつ繰出すことができる一括一時保留部と、紙幣を金種別に収納するとともにその紙幣を１枚ずつ繰出すことができる複数の金種別収納部と、出金される紙幣の識別を行う出金識別部と、出金紙幣を装置本体外から取出し可能に投出する出金口部と、回収すべき紙幣を収納する着脱可能な回収カセットとを有する紙幣入出金装置において、ループ状に配設された搬送路に、前記入金口部の出口部、前記入金識別部、前記一括一時保留部の各入出口部、前記各金種別収納部の各入出口部、前記出金識別部、前記回収カセットの入口部、前記出金口部の入口部を順に配置するとともに、所定枚数の紙幣を装置本体内に残置して他を回収する残置回収時に、前記各金種別収納部内の紙幣を繰出して前記出金識別部および入金識別部の少なくとも一方で識別したのちに前記一括一時保留部に一旦収納させ、その一括一時保留部に一旦収納されていた紙幣のうちの所定枚数の紙幣を前記各金種別収納部へ戻し、他の紙幣を前記回収カセットへ回収するよう制御する精査残置回収制御部を具有することを特徴とする紙幣入出金装置。
【請求項３】
入金紙幣を受入れて１枚ずつ繰込む入金口部と、入金紙幣の識別を行う入金識別部と、この入金識別部で入金可能と識別された紙幣を一時保留するとともにその一時保留紙幣を１枚ずつ繰出すことができる一括一時保留部と、紙幣を金種別に収納するとともにその紙幣を１枚ずつ繰出すことができる複数の金種別収納部と、出金される紙幣の識別を行う出金識別部と、出金紙幣を装置本体外から取出し可能に投出する出金口部と、回収すべき紙幣を収納する着脱可能な回収カセットとを有する紙幣入出金装置において、ループ状に配設された搬送路に、前記入金口部の出口部、前記入金識別部、前記一括一時保留部の各入出口部、前記各金種別収納部の各入出口部、前記出金識別部、前記回収カセットの入口部、前記出金口部の入口部を順に配置するとともに、所定枚数の紙幣を装置本体内に残置して他を回収する残置回収時に、前記各金種別収納部から残置すべき所定枚数の紙幣を残して他の紙幣を繰出し、前記出金識別部および入金識別部の少くとも一方で識別したのちに前記一括一時保留部へ一旦収納させ、前記一括一時保留部に一旦収納されていた紙幣を前記各金種別収納部へ戻すよう制御する回収残置精査制御部を具有することを特徴とする紙幣入出金装置。
【発明の詳細な説明】
【０００１】
【発明の属する技術分野】
本発明は、金融機関をはじめ、交通機関の窓口やスーパーマーケット等の精算所において紙幣の入金処理および出金処理を行う紙幣入出金装置に関する。
【０００２】
【従来の技術】
紙幣の入金処理および出金処理を自動的に行わせる紙幣入出金装置は、一般に入金紙幣を受入れて１枚ずつ繰込む入金口部、繰込まれた紙幣を搬送しつつ金種、真偽、正損等を識別する識別部、この識別部で入金可と識別された紙幣を一時的に保留する一時保留部、入金承認がなされた紙幣を金種別に収納するとともに１枚ずつ繰出すことができる金種別収納部、これら金種別収納部から繰出された紙幣を識別する出金識別部、この出金識別部で出金可と識別された紙幣を外部から取出せる状態に投出する出金口部、および業務終了時に各金種別収納部から回収した紙幣を収納して運搬する着脱可能な回収カセット等を備えたものである。
【０００３】
そして上記一時保留部に関しては、入金可と識別された紙幣を金種別に振分けたのちに一時保留する金種別一時保留タイプのものと、入金可と識別された紙幣を一括して一時保留する一括一時保留タイプのものとがある。
【０００４】
また、上記のような紙幣入出金装置を使用する場合、通常では業務の終了時に装置内の紙幣をすべて回収して紙幣の現物と在高データとが一致していることを確認する精査処理が行われている。
【０００５】
この精査処理の仕方としては、まず紙幣入出金装置において回収の指示を行うと、各金種別収納部から紙幣を繰出して回収カセットへ回収し、すべての紙幣の回収が完了したときその回収カセットを装置本体から取出して出納室等の別の場所へ運び、精算用の別の紙幣処理機を使用して識別計数し、紙幣の現物が在高データと一致しているか否かを確認するようになされている。なおその際の在高データは、紙幣入出金装置から直接オンラインによって送信されていたり、あるいは紙幣入出金装置等から出票される在高明細票などによって与えられる。
【０００６】
しかして従来では、紙幣入出金装置は主として金融機関において使用されるものであり、この金融機関では一般に営業時間が比較的短かかったので、業務が終了すれば紙幣入出金装置内を空にして現金をすべて回収して精算業務を行うようにする運用がとられていた。
【０００７】
ところが近年では、スーパーマーケットの精算所や交通機関の窓口（みどりの窓口等）をはじめ高速道路の料金所などにおいて紙幣入出金装置が使用されるようになっており、これらの業種では非常に長い時間にわたり紙幣入出金装置が稼働され、休止している時間がきわめて短くなったことから、精算処理を行ったのちでも次回の使用に備えて所定枚数の紙幣を紙幣入出金装置内に残しておくという残置運用がとられるようになっている。
【０００８】
【発明が解決しようとする課題】
ところで上記従来の紙幣入出金装置で残置運用を行おうとした場合、前述のように紙幣入出金装置内の紙幣をすべて回収して紙幣の現物が在高データと一致しているか否かを確認したのちに所定枚数の紙幣を用意して紙幣入出金装置へ入金する方法、あるいは紙幣の回収時に紙幣入出金装置内の在高から残置したい金額を差し引いた分の金額を入力してその入力された金額分だけ回収し、残りは紙幣入出金装置内に残しておくという方法が考えられる。
【０００９】
しかし前者による場合は、紙幣入出金装置内の紙幣をすべて回収して、紙幣の現物と在高データとを確認するので精査処理としては優れてはいるが、残置する紙幣を別に用意しておいて改めて入金させなければならず、作業性が悪いという問題がある。
【００１０】
一方、後者による場合は、残置する紙幣を残して回収するので、残置するための紙幣を別に用意する必要がなく、その入金操作も不要となって前者による場合のような煩わしさはないが、残置した紙幣の現物が在高データと一致しているか否かの確認がとれず、精査処理として不十分なものとなるという問題がある。
【００１１】
【発明が解決しようとする課題】
本発明は、紙幣入出金装置において、紙幣の回収処理と残置される紙幣の精査とを一連の処理によって自動的に行うことができるようにすることを課題としてなされたもので、入金紙幣を受入れて１枚ずつ繰込む入金口部と、入金紙幣の識別を行う入金識別部と、この入金識別部で入金可能と識別された紙幣を一時保留するとともにその一時保留紙幣を１枚ずつ繰出すことができる一括一時保留部と、紙幣を金種別に収納するとともにその紙幣を１枚ずつ繰出すことができる複数の金種別収納部と、出金される紙幣の識別を行う出金識別部と、出金紙幣を装置本体外から取出し可能に投出する出金口部と、回収すべき紙幣を収納する着脱可能な回収カセットとを有する紙幣入出金装置において、ループ状に配設された搬送路に、前記入金口部の出口部、前記入金識別部、前記一括一時保留部の各入出口部、前記各金種別収納部の各入出口部、前記出金識別部、前記回収カセットの入口部、前記出金口部の入口部を順に配置するとともに、所定枚数の紙幣を装置本体内に残置して他を回収する残置回収時に、前記各金種別収納部から残置すべき所定枚数の紙幣を繰出して前記出金識別部および入金識別部の少くとも一方で識別したのちに前記一括一時保留部へ一旦収納させ、前記金種別収納部に残っている紙幣を繰出して前記回収カセットへ回収したのちに前記一括一時保留部に一旦収納されていた紙幣を前記各金種別収納部へ戻すよう制御する残置精査回収制御部を具有する発明を請求項１とし、所定枚数の紙幣を装置本体内に残置して他を回収する残置回収時に、前記各金種別収納部内の紙幣を繰出して前記出金識別部および入金識別部の少なくとも一方で識別したのちに前記一括一時保留部に一旦収納させ、その一括一時保留部に一旦収納されていた紙幣のうちの所定枚数の紙幣を前記各金種別収納部へ戻し、他の紙幣を前記回収カセットへ回収するよう制御する精査残置回収制御部を具有する発明を請求項２とし、さらに所定枚数の紙幣を装置本体内に残置して他を回収する残置回収時に、前記各金種別収納部から残置すべき所定枚数の紙幣を残して他の紙幣を繰出し、前記出金識別部および入金識別部の少くとも一方で識別したのちに前記一括一時保留部へ一旦収納させ、前記一括一時保留部に一旦収納されていた紙幣を前記各金種別収納部へ戻すよう制御する回収残置精査制御部を具有する発明を請求項３とするものである。
【００１２】
【発明の実施の形態】
以下、本発明を図面に示す実施の形態を参照して説明する。
【００１３】
図１は紙幣入出金装置の一実施形態の縦断側面視の概要図を示すもので、装置本体１の前面上部には入金口部２が設けられ、その紙幣入金口３に続いて入金繰込み部４が設けられている。この繰込み部４は、紙幣を水平方向に搬送するベルト５と、このベルト５の上面に転接され紙幣を１枚ずつに分離する逆転ローラ６と、上記搬送ベルト５の上面上の紙幣の浮き上がりを防ぐため先端がバネ７の付勢により奥側に向けて下降するよう枢支された押え板８等で構成され、上記搬送ベルト５の駆動は専用のモータＭ１により行われる。
【００１４】
前記搬送ベルト５の後端に続いて入金紙幣の金種、正損等を識別して入金の可否を判定する入金識別部９を有する識別搬送路１０が側面視コ字状を画くようにベルト群により構成されており、この識別搬送路１０の末端は装置本体１の前後方向中央位置まで延び、ここから垂直方向に配設された入金搬送路１１に続いている。
【００１５】
上記入金搬送路１１の下端は装置本体１の底部近くで折り返されて該搬送路１１と平行して垂直方向上方に延びる出金搬送路１２に続いており、その折り返し部の直後の出金搬送路１２中に出金識別部１３が設けられている。この出金搬送路１２の上方は前記繰込み部４と入金識別部９との間の識別搬送路１０の一部を構成するようになっていてループ状の搬送系を構成している。そしてこれら搬送系は専用のモータＭ２により駆動される。
【００１６】
前記紙幣入金口部２の直下位置には紙幣出金口部１４が、さらにその直下位置にはリジェクト箱１５が配設され、このリジェクト箱１５の下方位置には紙幣の回収カセット１６が装置本体１の前扉１７を開けて出し入れ可能に設けられている。
【００１７】
上記出金口部１４は、装置本体１の前面に開口する出金口１８の開口部上縁のレベルと略一致する位置が下部走行面とされ前後のプーリー間に張装されたベルト１９と、このベルト１９の直下位置にあって図示しないソレノイド等の駆動手段により駆動される昇降機構２０を介して水平姿勢のまま上下動する受板２１とを有し、上記出金口部１４の入口側には上記受板２１上に送入される紙幣の後端をはたき落として受板２１上に良好に集積させるための羽根車２２が設けられている。また上記受板２１の前後位置には、周面の一部が受板２１の上面から突出するようにローラ２３，２３が軸支されており、前記ベルト１９の駆動により紙幣がスムーズに出金口１８へその一部が突出して取出し可能に投出されるようになっている。
【００１８】
前記リジェクト箱１５は、上面が開放されたトレイ状の収納カセットからなっており、装置本体１の前扉１７を開けることにより外部に引出せるようになっている。
【００１９】
上記リジェクト箱１５の入口部には、前記出金口部１４のベルト１９の入口側端部位置から切換爪２４の切換えによって該出金口部１４の紙幣を逆送して導くためのベルト２５，２５が設けられており、出金紙幣のリジェクト時にその紙幣をリジェクト箱１５内に収納することができるように構成されている。上記出金口部１４のベルト１９、羽根車２２等は専用のモータＭ３により駆動される。
【００２０】
前記入金搬送路１１に対し装置本体１の奥側には、紙幣の収納および１枚ずつの繰出しができる一括一時保留部２７を最上位置とし、その下方に金種別収納部２８（万円紙幣用）、２９（５千円紙幣用）、３０（千円紙幣用）の順に配設されており、上記一括一時保留部２７の紙幣入出口部３１は前記出金口部１４の紙幣入口部３２に前記入金搬送路１１および出金搬送路１２を間にして互いに正対する位置とされている。
【００２１】
上記一括一時保留部２７および各金種別収納部２８，２９，３０はいずれも同じ構成を有するので、その一つ（一括一時保留部２７）を代表して概略を説明すると、筐体３３内の略中央位置に正逆回転自在で周面に紙幣が巻付けられる単一の回転ドラム３４が軸支され、この回転ドラム３４の周縁に２種のテープ３５，３６が共に巻付けられ、これらテープのうち一方のテープ３５は筐体３３の入出口部３１の内側上部に位置するプーリ３７、中間プーリー３８を経由して巻取軸３９に巻付けられ、他方のテープ３６は前記入出口部３１の内側下部に位置するプーリー４０、中間プーリー４１を経由して別の巻取軸４２に巻付けられている。そして各部は専用のモータＭ４（Ｍ５、Ｍ６、Ｍ７）により正逆駆動される。
【００２２】
したがって紙幣を収納するときは、回転ドラム３４が正転（図１において矢印方向に回転）して入出口部３１から送入される紙幣をテープ３５，３６間に挟み込み、回転ドラム３４の周面に順次巻付けて収納し、紙幣を繰出すときは回転ドラム３４が逆転駆動（矢印とは反対方向に回転）してテープ３５，３６間に挟持されていた紙幣をプーリー３７，４０間から入出口部３１へ送出するようになっている。
【００２３】
前記入出口部３１の直近の内、外位置には紙幣の入出を検知するセンサＳ，Ｓが通路を挟んで配設され、その下方位置の筐体３３にはコネクタ４３が設けられており、装置本体１側のコネクタ４４と接続されている。
【００２４】
上記一括一時保留部２７、金種別収納部２８，２９，３０はいずれも専用のモータＭ４，Ｍ５，Ｍ６，Ｍ７、センサＳ、およびこれらの制御部を備えた独立したユニット構成とされており、したがって前記のコネクタ４３，４４により接続することにより他のユニットと自由に変換が可能とされている。また前述の入金繰込み部４、紙幣出金部１４、回収カセット１６もユニット化されており、前記と同様にコネクタ４５，４６，４７と装置本体１側のコネクタ４８，４９，５０とにより接続されている。
【００２５】
前記回収カセット１６は収納専用とした場合を示しており、上部一側に入口部５１が開口され、その内部には上下対をなすベルト５２，５３が設けられ、上部のベルト５２の内端のプーリー軸には周面が歯車状の凹凸面とされたギザローラ５４が設けられている。またこのギザローラ５４の下方位置にはドラム５５の周面接線方向に可撓性のある材料製の多数の羽根５６，５６…を有する羽根車５７が矢印方向に回転自在に設けられ、この羽根５６，５６間に紙幣を受入れて反転させ、下方へ放出して回収カセット１６内に集積するようになっており、羽根５６，５６間に紙幣を受入れた際に紙幣の後端がカールしているような場合には前記ギザローラ５４の周面の凹凸によってその紙幣の後端を押し上げ、次位の紙幣の先端を羽根５６，５６間に確実に受取らせるようになっている。上記ベルト５２，５３、羽根車５７等は専用のモータＭ８により駆動される。またこの回収カセット１６は収納専用であるが、繰出し機構を備えて収納・繰出しの双方を行うようにしたものを用いるようにすることも可能である。なお図１においてＰは収納された紙幣を示す。
【００２６】
前記一括一時保留部２７、金種別収納部２８，２９，３０の各入出口部３１，３１…および回収カセット１６の入口部５１には、入金搬送路１１および出金搬送路１２に連通、非連通とする切換機構５８がそれぞれ設けられている。また５９は一括一時保留部２７内の一時保留紙幣を返却する場合に最短コースを通って出金部１４へ搬送するための返却通路６０への切換爪であり、この切換爪５９の切換りにより出金部１４へ直接送入するようになされている。
【００２７】
制御部７０は、前記一括一時保留部２７で保留される紙幣の金種と順番とを記憶する記憶部７１を有し、前記一括一時保留部２７の紙幣を前記金種別収納部２８〜３０へ収納するとき前記記憶部７１に記憶された金種と順番とに応じて紙幣を対応する金種別収納部へ収納させる制御を行う。
【００２８】
図１において△印は各部に設けられて紙幣の通過を検知し、所定の信号を得るためのセンサを示す。
【００２９】
上記紙幣入出金装置の通常の作用について略述すると、入金に際しては、入金口３に入金しようとする紙幣を一括投入し、スタートボタンが押されると、入金繰込み部４のベルト５、ローラ６がモータＭ１により、また搬送系（識別搬送路１０、入金搬送路１１、出金搬送路１２）はモータＭ２によりそれぞれ駆動され、入金繰込み部４に投入された紙幣はベルト５、ローラ６により１枚ずつ繰込まれ、入金識別部９により金種が識別され、その識別結果（金種）と繰込み順の順番を対応させて記憶部７１に記憶される。
【００３０】
一方、一括一時保留時には、一括一時保留部２７の入出口部３１の切換機構５８が切換わって、前記の繰込まれた紙幣は入出口部３１へ送り込まれ、モータＭ４により正転駆動する回転ドラム３４の周面にテープ３５，３６に挟まれた状態で巻付けられて収納される。
【００３１】
上記入金に対し釣銭紙幣を要するときは、５千円紙幣および／または千円紙幣がその金種別収納部２９，３０から繰出され、入金搬送路１１の下流から出金搬送路１２へ送られ、出金識別部１３を通って出金口部１４へ送り込まれる。この出金口部１４へ入った紙幣は受板２１上へ堆積され、所定の金額に達したとき昇降機構２０により受板２１が上昇し、紙幣の上面がベルト１９の下面に圧接され、モータＭ３によるベルト１９の正転回動により紙幣は出金口１８へ掴める程度の長さ突出した状態で停止し、出金動作を完了する。
【００３２】
前記一括一時保留部２７に一括収納された紙幣は、その回転ドラム３４、テープ３５，３６を逆転駆動して１枚ずつ繰出し、その紙幣に該当する金種別収納部２８（１万円用）へ送り込まれ、その内部の回転ドラム３４に巻取って収納される。なお一括一時保留紙幣の枚数が複数であるときは、その金種と収納順を記憶部７１が記憶しており、その記憶に基づいて金種別収納部２８〜３０へ分類して収納される。
【００３３】
さらに上記一括一時保留部２７に一括保留された紙幣を返却する場合は、切換爪５９が切換って一括一時保留部２７から繰出される紙幣は返却通路６０を通って出金口部１４の紙幣入口部３２の直近の出金搬送路１２へ送り込まれ、出金搬送路１２から出金口部１４内へ出金識別部１３を通ることなく直接送入され、前記釣紙幣出金時と同様にして出金口１８へ出金される。
【００３４】
次に上記紙幣入出金装置の残置・精査・回収の態様を図２〜図４を参照して説明する。
【００３５】
図２は「残置〜精査〜回収モード」の場合の紙幣の流れを示すもので、このモードにおいては残置精査回収制御部により図２（Ａ）〜（Ｈ）のように制御される。
【００３６】
すなわち金種別収納部２８（以下便宜上万円収納部という）からこの収納部２８に残置すべき枚数の紙幣（万円紙幣）を繰出し、入金搬送路１１、出金識別部１３、出金搬送路１２、識別搬送路１０、入金識別部９を経由して一括一時保留部２７へ一旦収納する。このとき出金識別部１３または入金識別部９のいずれかにより識別し、残置紙幣としての収納枚数を確定する。これにより万円紙幣の残置分の精査が完了する（図２（Ａ））。
【００３７】
その後、万円収納部２８内の万円紙幣をすべて回収カセット１６へ送り込む（図２（Ｂ））。
【００３８】
次に金種別収納部２９（以下便宜上５千円収納部という）に残置すべき紙幣（５千円紙幣）を繰出し、上記と同様のルートを通って一括一時保留部２７へ一旦収納する。これにより５千円紙幣の残置分の精査が完了する（図２（Ｃ））。
【００３９】
その後、５千円収納部２９内の５千円紙幣をすべて回収カセット１６へ送入する（図２（Ｄ））。
【００４０】
さらに金種別収納部３０（以下便宜上千円収納部という）に残置すべき紙幣（千円紙幣）を繰出し、同様に一括一時保留部２７へ一旦収納する。これにより千円紙幣の残置分の精査が完了する（図２（Ｅ））。
【００４１】
次いで５千円収納部２９内の千円紙幣をすべて回収カセット１６へ送入する（図２（Ｆ））。
【００４２】
その後、一括一時保留部２７に収納された精査済の残置用紙幣を繰出して入金搬送路１１、各切換機構５８，５８…を通じて金種別収納部３０，２９，２８へ千円、５千円、万円の各紙幣をそれぞれ金種別に収納する（図２（Ｇ））。これにより各収納部２８，２９，３０には所定枚数の残置紙幣が収納される。
【００４３】
回収カセット１６は前扉１７を開けて装置本体１から取出し、精算所等へ運ぶ（図２（Ｈ））。
【００４４】
上記のモードによれば、最初に残置紙幣の枚数が確定されるので、残置金額を固定したい場合（例えば毎日１０万円ずつ残置するなど）に有効である。
【００４５】
図３は「精査〜残置〜回収モード」の場合の紙幣の流れを示すもので、このモードにおいては精査残置回収制御部により図３（Ａ）〜（Ｇ）のように制御される。
【００４６】
すなわち、先ず万円収納部２８内のすべての万円紙幣を繰出し、入金搬送路１１、出金識別部１３、出金搬送路１２、識別搬送路１０、入金識別部９を経由して一括一時保留部２７へすべて収納する（図３（Ａ））。これにより万円収納部２８内にあった万円紙幣の精査が完了する。
【００４７】
次いで一旦一括一時保留部２７に収納した万円紙幣を繰出し、万円収納部２８に残置すべき枚数の万円紙幣を万円収納部２８へ送り込み、他の回収分は回収カセット１６へ送り込む（図３（Ｂ））。
【００４８】
次に５千円収納部２９内のすべての５千円紙幣を繰出し、同様に一括一時保留部２７へすべて収納する（図３（Ｃ））。これにより５千円収納部２９内にあった５千円紙幣の精査が完了する。
【００４９】
次いで一括一時保留部２７から５千円紙幣を繰出し、５千円収納部２９に残置すべき枚数の５千円紙幣を５千円収納部２９へ送り込み、他の回収分は回収カセット１６へ送り込む（図３（Ｄ））。
【００５０】
さらに千円収納部３０内のすべての千円紙幣を繰出し、同様に一括一時保留部２７へすべて収納する（図３（Ｅ））。これにより千円収納部３０内にあった千円紙幣の精査が完了する。
【００５１】
次いで一括一時保留部２７から千円紙幣を繰出し、千円収納部３０に残置すべき枚数の千円紙幣を千円収納部３０へ送り込み、他の回収分は回収カセット１６へ送り込む（図３（Ｆ））。その後、回収カセット１６を取出して保管場所等へ運ぶ（図３（Ｇ））。
【００５２】
上記のモードによれば、装置本体１内の在高を精査して確定したのちに回収することになるので、紙幣の現物と在高データとが違っていた場合に残置金額と回収金額とのいずれを優先させるかを任意に選定することができる。
【００５３】
図４は「回収〜残置〜精査モード」の場合の紙幣の流れを示すもので、このモードにおいては回収残置精査制御部により図４（Ａ）〜（Ｈ）のように制御される。
【００５４】
すなわち、万円収納部２８内に所定枚数の万円紙幣を残して他の回収紙幣を繰出し、入金搬送路１１、出金識別部１３、出金搬送路１２を通じて回収カセット１６へ送入する（図４（Ａ））。同様に５千円紙幣（図４（Ｂ））、千円紙幣（図４（Ｃ））についてもそれぞれ所定枚数を残して他を回収カセット１６へ収納する。
【００５５】
これにより装置本体１内の回収分の紙幣はすべて回収カセット１６内に回収されるので、前扉１７を開けて回収カセット１６を取出し、精算所等へ運んで精査処理される。
【００５６】
空になった回収カセット１６を再び装置本体１に装着し（図４（Ｄ））、万円紙幣収納部２８に残された万円紙幣を繰出して入金搬送路１１、出金識別部１３、出金搬送路１２、識別搬送路１０、入金識別部９を経由して一括一時保留部２７へ送り込む（図４（Ｅ））。これにより万円紙幣の残置分の精査が完了する。
【００５７】
同様にして５千円収納部２９内に残置された５千円紙幣を一括一時保留部２７へ送り込み（図４（Ｆ））、千円収納部３０内に残置された千円紙幣を一括一時保留部２７へ送り込む（図４（Ｇ））。これにより５千円紙幣、千円紙幣の残置分の精査が完了する。
【００５８】
その後、一括一時保留部２７から各収納部２８，２９，３０へ金種別に収納して各収納部に残置される（図４（Ｈ））。
【００５９】
上記のモードによれば、回収分の紙幣をすべて回収カセット１６に回収したのちに残置分の紙幣の精査を行うので、回収カセット１６に回収した紙幣をいち早く取出すことができ、回収紙幣の精査処理に直ちに移行することができる利点がある。
【００６０】
なお一括一時保留部２７、金種別収納部２８〜３０の構成に関しては、紙幣の受入れと繰出しができるものであれば、巻取式以外の構造であっても差支えない。また装置内における紙幣の精査には入金識別部９または出金識別部１３のいずれを用いるようにしてもよい。
【００６１】
【発明の効果】
以上説明したように本発明よれば、紙幣の回収処理と、残置すべき紙幣の精査処理とを一連の処理によって行うことができ、作業能率を著しく高めることができる。
【００６２】
特に請求項１に記載の発明によれば、最初に残置すべき紙幣の枚数を確定することができるので、残置金額を所定額に固定したい場合に有効であり、また請求項２に記載の発明によれば、機体内の在高を確定したのちに回収するので、紙幣の現物と在高データが異なっていた場合に残置金額と回収金額とのいずれを優先させるかを自由に選択し得る利点がある。さらに請求項３に記載の発明によれば、回収分の紙幣をすべて回収カセットに回収したのちに残置分の紙幣の精査処理を行うので、回収したい紙幣を早く取出して精査処理に回すことができる利点がある。
【図面の簡単な説明】
【図１】本発明を適用する紙幣入出金装置の一実施形態を示す略示縦断側面図。
【図２】（Ａ）〜（Ｈ）は残置精査回収モード時の紙幣の流れを示す説明図。
【図３】（Ａ）〜（Ｇ）は精査残置回収モード時の紙幣の流れを示す説明図。
【図４】（Ａ）〜（Ｈ）は回収残置精査モード時の紙幣の流れを示す説明図。
【符号の説明】
１  装置本体
２  紙幣入金口部
３  入金口
４  入金繰込み部
９  入金識別部
１０  識別搬送路
１１  入金搬送路
１２  出金搬送路
１３  出金識別部
１４  紙幣出金口部
１５  リジェクト箱
１６  回収カセット
１７  前扉
１８  出金口
２７  一括一時保留部
２８，２９，３０  金種別収納部
【図１】
0003936038.tif 000002
【図２】
0003936038.tif 000003
【図３】
0003936038.tif 000004
【図４】
0003936038.tif 000005